(57)【要約】【課題】戸を閉じる際には安全に閉じることができ、且つ確実に閉じ切ることができる建具を提供する。【解決手段】本発明にかかる建具１は、枠３と回転自在な戸５と気密材１５と閉じ方向補助具７と閉じ切り補助具９とを備え、気密材１５、閉じ方向補助具７及び閉じ切り補助具９は、枠３と戸５の間に配置してあり、気密材１５は、戸５を閉じたときに気密を保持するものであり、閉じ方向補助具７は、戸５の回転により蓄積した力で戸が気密材１５に当接する直前までの間は戸閉鎖時の衝撃を吸収しつつ、速度が遅くなるように閉じるものであり、閉じ切り補助具９は、戸５の回転により蓄積した力で戸５が気密材１５に当接する直前から気密材１５の反発力に対抗して戸５を閉じる方向に付勢する。【選択図】図１
2019052512.tif 000002
【特許請求の範囲】
【請求項１】
枠と回転自在な戸と気密材と閉じ方向補助具と閉じ切り補助具とを備え、気密材、閉じ方向補助具及び閉じ切り補助具は、枠と戸の間に配置してあり、気密材は、戸を閉じたときに気密を保持するものであり、閉じ方向補助具は、戸の回転により蓄積した力で戸が気密材に当接する直前までの間は戸閉鎖時の衝撃を吸収しつつ、速度が遅くなるように閉じるものであり、閉じ切り補助具は、戸の回転により蓄積した力で戸が気密材に当接する直前から気密材の反発力に対抗して戸を閉じる方向に付勢することを特徴とする建具。
【発明の詳細な説明】
【技術分野】
【０００１】
本発明は、建具に関する。  
【背景技術】
【０００２】
特許文献１には、ドア（戸）を閉じる際にダンパで制動して安全に閉じると共にばねの付勢力でドアを閉じ切ることが開示されている。
【先行技術文献】
【特許文献】
【０００３】
【特許文献１】特開２０１０−２８５８５８号公報
【発明の概要】
【発明が解決しようとする課題】
【０００４】
しかし、特許文献１の技術では、ドアを閉じ切る為には、ばねの付勢力をダンパの制動力よりも大きくする必要があると共にダンパの制動力の影響で確実に閉じ切ることができないおそれがあった。
【０００５】
そこで、本発明は、戸を閉じる際には安全に閉じることができ、且つ確実に閉じ切ることができる建具の提供を目的とする。
【課題を解決するための手段】
【０００６】
請求項１に記載の発明は、枠と回転自在な戸と気密材と閉じ方向補助具と閉じ切り補助具とを備え、気密材、閉じ方向補助具及び閉じ切り補助具は、枠と戸の間に配置してあり、気密材は、戸を閉じたときに気密を保持するものであり、閉じ方向補助具は、戸の回転により蓄積した力で戸が気密材に当接する直前までの間は戸閉鎖時の衝撃を吸収しつつ、速度が遅くなるように閉じるものであり、閉じ切り補助具は、戸の回転により蓄積した力で戸が気密材に当接する直前から気密材の反発力に対抗して戸を閉じる方向に付勢することを特徴とする建具である。  
【発明の効果】
【０００７】
請求項１に記載の発明によれば、戸を閉じる際には閉じ方向補助具により衝撃を吸収しつつ戸の速度を遅くすることで安全に閉じることができ、戸を閉じ切る際には閉じ切り補助具により戸を確実に閉じ切ることができる。
【図面の簡単な説明】
【０００８】
【図１】本発明の実施の形態にかかる建具の横断面図であって、戸が開き切り状態から閉じ切り状態にあるときを示す図である。
【図２】本発明の実施の形態にかかる建具のであって、閉じ方向補助具と閉じ切り補助具とを、閉じ切り状態から開き切り状態を（ａ）〜（ｅ）に経時変化ごとに示す図である。
【図３】閉じ方向補助具を示す図であって、開き切り状態にある戸の上框の横断面図である。
【図４】閉じ切り補助具の平面図である。
【図５】本発明の実施の形態にかかる建具において、閉じ切り状態にあるときの戸の上框と上枠及びこれらの周囲部分を示す縦断面である。
【発明を実施するための形態】
【０００９】
以下に、添付図面を参照して本発明の実施の形態について説明する。  
図１に示すように、本実施の形態にかかる建具１は、枠３と、戸５と、閉じ方向補助具７と、閉じ切り補助具９を備えている。  
枠３は、戸先枠１１と吊元枠１３を有し、戸先枠１１と吊元枠１３には閉じた戸５との間を気密に保持する気密材１５が設けてある。  
吊元枠１３と吊元框１７との間にはヒンジ１９が設けてあり、吊元枠１３に対して戸５が回転自在に連結されている。  
図５に示すように、閉じ方向補助具７は戸５の上框２１内に収納されており、閉じ切り補助具９は上枠２３内に収納されており、閉じ方向補助具７と閉じ切り補助具９とはアーム２５により連結されている。  
【００１０】
図２に示すように、閉じ方向補助具７は、中空を有するベース２７と、ベース２７の中空内を摺動する摺動部材２９とを備えている。  
ベース２７の中空内部には、その吊元側に開トリガ３６が設けてあり、戸先側に閉トリガ３８が設けてある。  
摺動部材２９には、付勢部材３９と、ダンパ４１と、開スライダ４３と、閉スライダ４５と、閉ラッチ４７と、開ラッチ４９が設けてある。開スライダ４３と閉スライダ４５とは、ベース２７の長手方向に間隔をあけて配置してあり且つ互いに独立して摺動部材２９内を摺動自在としてある。摺動部材２９の戸先側端部には回動軸３１が設けてあり、アーム２５の戸先側端（先端）２５ｂが回動軸３１に回動自在に連結されている。  
付勢部材３９は引張ばねであり、一端を開スライダ４３に、他端を閉スライダ４５に固定してある。  
ダンパ４１は、油圧ダンパであり、一端を開スライダ４３に固定してあり開スライダ４３と共に移動自在としてあり、他端は閉スライダ４５に離脱自在に嵌合されている。
【００１１】
摺動部材２９には、戸先側に閉ラッチ４７の移動を案内する閉ラッチ案内溝５５が形成されており、吊元側に開ラッチ４９の移動を案内する開ラッチ案内溝５９が形成されている。  
閉ラッチ４７は、傾斜保持軸４７ａとスライド軸４７ｂとが摺動部材２９の閉ラッチ案内溝５５に係合している。閉ラッチ案内溝５５には、閉ラッチ４７を傾斜した状態で保持する垂直溝部５５ａと、閉ラッチ４７を水平方向にスライド自在な水平溝部５５ｂとが連続して形成されている。  
一方、開ラッチ４９は、傾斜保持軸４９ａとスライド軸４９ｂが開ラッチ案内溝５９に係合している。開ラッチ案内溝５９には、開ラッチ４９を傾斜した状態で保持する垂直溝部５９ａと、開ラッチ４９を水平方向にスライド自在な水平溝部５９ｂとが連続して形成されている。  
【００１２】
図４に示すように、閉じ切り補助具９は、閉じ切り付勢部材６１と、スライダ６３と、カム６５とを備えている。  
閉じ切り付勢部材６１は、圧縮ばねであり、その一端はばね強度調整部材６７を介して上枠２３に固定されており、他端にはスライダ６３が閉じ切り付勢部材６１の伸縮方向にスライド自在に取付けてある。スライダ６３はカム６５との係合部６３ａを有し、係合部６３ａは閉じ切り付勢部材６１によりカム６５のカム面（外周面）に常時押圧されている。係合部６３ａは先端をカム側に突出した突起状に形成してある。  
カム６５は、その回転軸６５ａにアーム２５の基端が固定してあり、カム面には円弧面６５ｃと円弧面の端に形成された被係合部６５ｂとが形成されている。  
【００１３】
次に、本実施の形態にかかる建具１の開閉動作について説明するが、まず、戸５の全閉状態について説明する。  
図２（ａ）のＭ１及び図１のＭ１に示すように、戸５が全閉状態（閉じ切り状態）にあるときには、閉じ方向補助具７では、閉ラッチ４７は閉トリガ３８に係合しており、閉ラッチ４７の傾斜保持軸４７ａ及びスライド軸４７ｂは閉ラッチ案内溝５５の水平溝部５５ｂの吊元側端に位置している。一方、開ラッチ４９は傾斜保持軸４９ａが開ラッチ案内溝部５９の垂直溝部５９ａに位置し、スライド軸４９ｂが開ラッチ案内溝部５９の水平溝部５９ｂに位置している。このとき、付勢部材３９は縮み切った状態にあり、付勢力を放出しきっている。  
一方、図２（ａ）のＡ１で示すように、閉じ切り補助具９では、スライダ６３の係合部６３ａがカム６５の被係合部６５ｂに係合して閉じ切り付勢部材６１の付勢力でカム６５を矢印Ｓ方向に設けて押圧している。この状態では、図１のＭ１で示すように、カム６５に連動するアーム２５はその先端で戸５の戸先を戸先枠１１の気密材１５に押し付けている。即ち、閉じ切り補助具９により戸５を戸先枠１１の気密材１５に向けて押圧して、戸５を閉じ切り位置に保持している。  
【００１４】
次に、戸５の全開状態から全閉状態に至る動きについて説明する。  
図１のＭ５に示す全開状態では、図３に示すように、閉じ方向補助具７では、開ラッチ４９が開トリガ３６に係合し、図２（ｅ）及び図３に示すように、２つの軸４９ａ、４９ｂが開ラッチ案内溝５９の水平溝部５９ｂにあり、閉ラッチ４７の傾斜保持軸４７ａは閉ラッチ案内溝５５の垂直溝部５５ａに入り込んだ状態となっている。尚、付勢部材３９は縮み切っており蓄積した付勢力を解放しきった状態である。  
一方、図２（ｅ）のＡ５に示すように、閉じ切り補助具９では、スライダ６３の係合部６３ａは閉じ切り付勢部材６１の蓄積した付勢力でカム６５の円弧面６５ｃを押圧した状態である。  
【００１５】
図２（ｅ）及び図１のＭ５に示す戸５の全開状態から図２（ｄ）及び図１のＭ４までの領域Ｒ４では、戸５を閉じ方向に回転するとアーム２５が摺動部材２９を戸先側へ押す。これによって、摺動部材２９が戸先側へ移動し、付勢部材３９を縮み切った状態から引き伸ばし、付勢部材３９の付勢力に抗して戸５を閉じる方向に移動する。図１のＭ５の全開状態から戸５を閉じ方向に動かすときには、約３０Ｎの力がかかる。この全開状態から戸５を閉じ方向に動かすときにかかる力は、通常のドアと同程度の力であり、戸５を全開状態から閉じる際に支障のないものであった。  
その後、図２（ｄ）に示すように、付勢部材３９が最大に引き伸ばされると、開ラッチ４９の傾斜保持軸４９ａが開ラッチ案内溝水平溝部５９ｂから垂直溝部５９ａに入り込んで、開ラッチ４９が保持される。これにより、付勢部材３９はその付勢力を蓄積した状態で保持される。  
一方、閉じ切り補助具９では、図２（ｄ）Ａ４に示すように、スライダ６３の係合部６３ａはカム６５の円弧面６５ｃを摺動する。尚、カム６５は矢印Ｓ方向に回動する。  
【００１６】
図２（ｄ）（ｃ）に示すように、更に戸５を閉じ方向に回転すると、摺動部材２９はアーム２５に押されて戸先側へ摺動し、Ｍ４とＭ３の間の領域Ｒ３（図１参照）では、開ラッチ４９の傾斜保持軸４９ａが開ラッチ案内溝５９の垂直溝部５９ａに入り込んだ状態にあり、閉ラッチ４７の傾斜保持軸４７ａは閉ラッチ案内溝５５の垂直溝部５５ｂに入り込んだ状態にあり、付勢部材３９は蓄積した付勢力を保持したままの状態である。  
このとき、ダンパ４１は作用しないで、戸５はフリー状態であるが、閉じ切り補助具９ではスライダ６３の係合部６３ａがカム６５の円弧面６５ｃを押圧しているのでアーム２５を介して、戸５のふらつきを抑制している。  
【００１７】
更に、戸５を閉じると、摺動部材２９はアーム２５に押されて戸先側へ摺動し、図２（ｃ）に示すように、閉ラッチ４７が閉トリガ３８に係合し、図２（ｂ）に示すように、閉ラッチ４７の傾斜保持軸４７ａが閉ラッチ案内溝５５の水平溝部５５ｂに移動し、閉ラッチ４７の係止が解除される。  
また、付勢部材３９は伸びた状態から付勢力を解放して縮み始めるが、付勢部材３９の付勢力に対してダンパ４１が作用し、付勢部材３９が付勢力を急激に解放するのを緩衝する。したがって、付勢部材３９は、ゆっくりと縮む。また、ダンパ４１の作用により、衝撃を吸収しつつ戸５の閉じ速度を遅くする。  
一方、閉じ切り補助具９では、アーム２５の回動によりカム６５が矢印Ｓ方向に回動して、図１に示すＭ２の位置では、スライダ６３の係合部６３は、カムの被係合部６５ｂの手前に位置する。  
【００１８】
更に、戸５が閉じられて、図１に示すＭ２を越えると、Ｍ２に示すように、付勢部材３９が縮んでＭ１の直前まで移動した後、Ｍ１で示す閉じ切り状態になる。  
図２（ａ）のＭ１に示すように、閉じ切り状態では、付勢部材３９は最も縮んだ状態になる。  
一方、閉じ切り補助具９では、図２（ｂ）のＡ２から（ａ）のＡ１に示すように、スライダ６３の係合部６３ａが被係合部６５ｂに入り込み、閉じ切り付勢部材６１により被係合部６３ａを戸の閉じ方向（Ｓ方向）に押圧する。このように、閉じ切り補助具９において、スライダ６３がカム６５をＳ方向に押し圧することにより、アーム２５により戸５を枠３に設けた気密材１５を押し潰すようにして閉じ切る。  
【００１９】
次に、全閉状態から戸５を開く動作を説明する。  
戸５の全閉状態（図２（ａ））から戸５を開いて、図１に示す閉じ切り開始位置Ｍ２までの領域Ｒ１では、図２（ｂ）のＭ２に示すように、摺動部材２９はアーム２５に引かれて僅かに吊元側へ摺動する。閉ラッチ４７は閉トリガ３８に係合したまま閉ラッチ４７の２つの軸４７ａ、４７ｂが、開ラッチ案内溝部５９の水平溝部５９ｂを相対的に戸先側（図２（ｂ）中右側）へ移動する。これにより、開スライダ４３に対して閉スライダ４５が離れる方向に移動して付勢部材３９が引き伸ばされる。  
一方、図２（ｂ）のＡ２に示すように、閉じ切り補助具９では、アーム２５の回動と共にカム６５が矢印Ｓと反対方向に回動してスライダ６３の係合部６３ａがカム６５の被係合部６５ｂを乗り込える。これにより、閉じ切り付勢部材６１が縮められて、付勢力を蓄積した状態になる。  
領域Ｒ１の開き角度は０度〜１０度である。領域Ｒ１における戸５の開き動作では、約２０Ｎ（ニュートン）の開力がかかる。  
【００２０】
図２（ｃ）のＭ３に示すように、更に戸５を開くと、摺動部材２９がアーム２５の回動により更に吊元側へ摺動して、閉ラッチ４７の傾斜保持軸４７ａが閉ラッチ案内溝５５の垂直溝部５５ａに係止する。これにより、付勢部材３９は最大に引き伸ばされて開スライダ４３と閉スライダ４５との間に保持され、蓄積した付勢力を保持する。  
一方、図２（ｃ）のＡ３に示すように、閉じ切り補助具９では、アーム２５の回動と共に更にカム６５がＳ方向と反対方向に回動するが、スライダ６３の係合部６３ａはカム６５の円弧面６５ｃを摺動するので、閉じ切り付勢部材６１の付勢力はアーム２５の回動にほとんど影響を及ぼさない。また、閉じ切り付勢部材６１は付勢力を蓄積した状態が保持される。  
図２（ｂ）Ｍ２と（ｃ）のＭ３との間の領域Ｒ２は、開き角度が１０度〜２０度である。領域Ｒ２では、付勢部材３９を最大限まで引き伸ばすので、開力は約３０Ｎである。
以上のように、全閉状態から戸５を開くとき及び領域Ｒ２で戸５を開くときにかかる力をそれぞれ示したが、各力は通常のドアと同程度の力であり、全閉状態から戸５を開く際に支障のないものであった。  
【００２１】
図２（ｄ）のＭ４に示すように、更に戸５を開くと、Ｍ３と同様に、開ラッチ４９の傾斜保持軸４９ａが開ラッチ案内溝５９の垂直溝部５９ａに保持され、閉ラッチ４７の傾斜保持軸４７ａが閉ラッチ案内溝５５の垂直溝部５５ａに保持された状態のままであり、付勢部材３９は引き伸ばされた状態のまま保持されて、戸５が開かれる。尚、ダンパ４１は作用しない。  
一方、図２（ｄ）のＡ４に示すように、スライダ６３の係合部６３ａはカム６５の円弧面６５ｃを摺動するので、閉じ切り付勢部材６１の付勢力はアーム２５の回動に影響をほとんど及ぼさない。また、閉じ切り付勢部材６１は付勢力を蓄積した状態が保持される。
図２（ｃ）と（ｄ）の間の領域Ｒ３では、付勢部材３９を最大限まで引き伸ばした状態のままが保持されており、戸の開閉はほとんど抵抗がかからないフリー状態である。しかし、スライダ６３の係合部６３ａは閉じ切り付勢部材６１が蓄積した付勢力でカム６５の円弧面６５ｃを押圧しているので、アーム２５を介して戸５がふらつくのを抑制する。この領域Ｒ３は、開き角度が２０度〜７０度である。  
【００２２】
図２（ｄ）の状態において、更に戸５を開いて摺動部材２９が吊元側へ移動すると、Ｍ５に示すように、開ラッチ４９が開トリガ３６に係合し、図２（ｅ）及び図３に示すように、傾斜保持軸４９ａが開ラッチ案内溝５９の垂直溝部５５ａから水平溝部５９ｂに移動する。これにより、付勢部材３９は蓄積した付勢力を解放し、２つの軸４９ａ、４９ｂが共に水平溝部５９ｂを相対的に戸先側へ移動する。即ち、図２（ｄ）と（ｅ）の間の領域Ｒ４では開スライダ４３はベース２７内を戸先側へ移動して、ダンパ４１の抵抗を受けて、衝撃を吸収しつつ戸の速度を遅くして戸５がゆっくり開く。また、戸５ががたついたり、急激に閉じたり開いたりするのを抑制する。領域Ｒ４は、開き角度が７０度〜９０度である。  
一方、図２（ｅ）のＡ５に示すように、閉じ切り補助具９では、アーム２５の回動と共に更にカム６５が回動するが、スライダ６３の係合部６３ａはカム６５の円弧面６５ｃを摺動するので、閉じ切り付勢部材６１の付勢力はアーム２５の回動にほとんど影響を及ぼさない。また、閉じ切り付勢部材６１は付勢力を蓄積した状態が保持される。  
図２（ｅ）のＭ５では、付勢部材３９が蓄積した付勢力を解放して、戸５を開ける際の補助的な作用が働き、戸５は全開状態となり、その位置で保持される。  
【００２３】
本実施の形態にかかる建具１の作用効果について説明する。  
図２（ｂ）から（ａ）及び図１のＭ２からＭ１で示すように、戸５をＭ２の位置から閉じ切る（全閉）Ｍ１までは、閉じ方向補助具７により戸５の速度を遅くして閉じるので、戸５を安全に閉じることができる。即ち、閉じ方向補助具７では、戸５をＭ２の位置から閉じ切る（全閉）Ｍ１までは、開スライダ４３と閉スライダ４５との間に設けたダンパ４１が作用して、衝撃を吸収しつつ戸５の速度を遅くして閉じることができる。また、戸の煽りを防止できる。  
図２（ｂ）のＡ２及び（ａ）のＡ１で示すように、戸５を閉じ切る際には閉じ切り補助具９により、戸５の回転により蓄積した力で戸５が気密材１５に当接する直前から気密材１５の反発力に対抗して戸５を閉じる方向に付勢するので、戸５を確実に閉じ切ることができる。即ち、閉じ切り補助具９では、戸５の回転により回転するカム６５によりスライダ６３を介して閉じ切り付勢部材６１に蓄積した力で、スライダ６３の係合部６３ａがカム６５を矢印Ｓ方向に押圧することでアーム２５を回動して、戸５を閉じ切る。また、閉じ切り補助具９により戸５を閉じ切るときには、図２のＭ２からＭ１に示すように、閉ラッチ４７は閉ラッチ案内溝５５の水平溝部５５ｂを移動するようにしてあるから、閉じ切り動作時には、ダンパ４１の抵抗はかからない。  
【００２４】
図２（ｄ）のＭ４及び（ｅ）のＭ５に示すように、閉じ方向補助具７は、開方向補助機構を兼ね備えており、この開方向補助機構は戸５が開き方向に回転したときに開き切る直前にダンパ４１により衝撃を吸収しつつ戸５の速度を遅くして開くので、戸５を安全に開くことができる。また戸の煽りを防止できる。即ち、開方向補助機構は、図１に示すように、Ｍ４の位置から開き切り位置（全開）Ｍ５までは、図２のＭ５に示すように、開スライダ４３と閉スライダ４５との間に設けたダンパ４１が作用して、戸５の速度を遅くして開く。  
図２（ｂ）のＡ２から（ｅ）のＡ５に示すように、閉じ切り補助具９では、戸５が開閉途中にあるときには、閉じ切り付勢部材６１が蓄積した付勢力で、スライダ６３の係合部６３ａがカム６５の円弧面６５ｃを常時押圧しているので、図１に示すＭ２〜Ｍ４の区間でも、戸５のふらつきを防止できる。  
図１及び図５に示すように、閉じ方向補助具７と閉じ切り補助具９とは２つに分けているので、これらの機能を一つの装置にする場合に比較して装置の小型化を図ることができる。  
図５に示すように、閉じ方向補助具７は戸５の上框２１内に設けてあり、閉じ切り補助具９は上枠内に設けてあり、これらは外部から見えないので建具の意匠を損なわない。  
図２（ｅ）のＭ５では、開ラッチ４９が開トリガ３６に係合して付勢部材３９は蓄積した付勢力を解放することで、摺動部材２９と共にアーム２５を吊元側へ移動し、戸５を開ける際の補助的な開力が働き、戸５から手を放しても全開状態にしてその位置を保持することができる。  
図１に示す領域Ｒ３では、付勢部材３９の伸縮がなく、付勢部材３９の付勢力が作用しないので、この間における戸５の開閉には力がほとんど掛からないで済む。  
閉じ切り補助具９では、閉じ切り付勢部材６１の付勢力は、ばね強度調整部材６７をスライド調整することで、調整できる。  
【００２５】
本発明は、上述した実施の形態に限定されるものではなく、その要旨を逸脱しない範囲で種々変形可能である。  
例えば、ダンパ４１はオイルダンパに限らず、ガスダンパーであっても良く、ダンパ４１の種類は限定されない。  
付勢部材３９や閉じ切り付勢部材６１は、ゼンマイやピストン等であっても良く、付勢力を蓄積したり開放できるものであれば、特に限定されない。  
本発明において、閉じ方向補助具７は、開き方向補助機構を合わせ持つ構成として全開操作と全閉操作の両方の操作を補助したが、これに限らず、全閉操作のみを補助するものであっても良い。例えば、上述した実施の形態において、開トリガ３６や開ラッチ４９を設けないで、開スライダ４３を摺動部材２９に固定した構成とし、戸５を半開状態の開側所定位置Ｍ４から全開状態Ｍ５にするときには付勢部材３９が蓄積した付勢力を解放しないで、閉側所定位置Ｍ３から全閉状態Ｍ１にするときにのみ付勢部材３９が蓄積した付勢力を解放する構成としても良い。  
閉じ方向補助具７や閉じ切り補助具９は、それぞれ上框２１や上枠２３の内部に設けることに限らず、上框２１や上枠２３の開き側見付面や閉じ側見付面に設けても良い。  
【符号の説明】
【００２６】
１    建具
３    枠
５    戸
６    気密材
７    閉じ方向補助具
９    閉じ切り補助具
３９  付勢部材
４１  ダンパ
６１  閉じ切り付勢部材
Ｍ１、Ａ１  閉じ切り位置
【図１】
2019052512.tif 000003
【図２】
2019052512.tif 000004
【図３】
2019052512.tif 000005
【図４】
2019052512.tif 000006
【図５】
2019052512.tif 000007